(57)【要約】      （修正有）【課題】リトリーブ時にルアーから発生する接触音を容易に調整し、魚へのアピールを効果的に行うことにより、釣果を改善するルアーを提供する。【解決手段】ルアー本体１とカップ２と掛止部を有する２つ以上の掛止具とを具備し、掛止部とルアー本体との間でカップが揺動可能に掛止され、少なくとも１つの掛止部とルアー本体との距離が調節可能であるルアーによって、ルアーのカップの揺動可能域を調節し、ルアーから発生する接触音を調整する。【選択図】図１
0003192313.tif 000002
【実用新案登録請求の範囲】
【請求項１】
ルアー本体と、カップと、掛止部を有する２つ以上の掛止具と、を具備し、
前記掛止部と前記ルアー本体との間でカップが揺動可能に掛止され、
少なくとも１つの掛止部と前記ルアー本体との距離が調節可能であるルアー。
【請求項２】
掛止部と前記ルアー本体との距離が調節可能である掛止具が、調節ネジであることを特徴とする請求項１に記載のルアー。
【請求項３】
前記掛止具のうち１つが、ヒートン又はエイト環であることを特徴とする請求項１又は２に記載のルアー。
【請求項４】
前記カップが略凸形状の被掛止孔を有し、前記被掛止孔の縦方向又は横方向のいずれか一方が、前記ヒートン又はエイト環の掛止部外環よりも短く、他方が長いことを特徴とする請求項３に記載のルアー。
【請求項５】
前記カップが、略横長瓢形状であることを特徴とする請求項１〜４のいずれかに記載のルアー。
【請求項６】
前記カップの形状が、左右非対称であることを特徴とする請求項１〜５のいずれかに記載のルアー。
【考案の詳細な説明】
【技術分野】
【０００１】
本考案は、音を発生させることができるルアーに関する。
【背景技術】
【０００２】
リトリーブ時に音を発生させて魚の興味を引き、魚を釣りやすくする従来のルアーには、様々なものがある。例えば、ルアー本体内にラトルボールを移動自在に設けることで、ラトル音を発生させるもの（例えば、特許文献１参照）や、ルアー前頭部にペラを設けることにより、ペラの回転によって水しぶき音を発生させるもの（例えば、特許文献２参照）、あるいは、ルアー本体の後方にブレードを設けて、ブレードとルアー本体を接触させることによって接触音を発生させるもの（例えば、特許文献３参照）等が知られている。
【０００３】
その中でも音を発生させるルアーとして、特許文献４に記載された形状のタイプのものは、ルアー前頭部に設けられたカップが、ルアー本体やルアー本体との掛止具に接触することで、カチャカチャという接触音を発生させるとともに、ルアーの着水時にカップに付着した気泡がリトリーブ時に破裂することで、ポコポコという破裂音を発生させて、バスやナマズなどの魚を効果的に誘惑することが知られている。
【０００４】
しかしながら、従来のルアーでは、音を発生させることは出来ても、その音を適宜調整することは出来なかった。また、仮に音を調整変更しようとしても、ルアーの改造等が必要になるため、釣り場で簡便に音の調整をすることが困難であった。そのために、音を学習してしまった魚を誘惑できすに釣果が低下したり、魚の好みに合わせて音を適宜調整して釣果を改善したりすることが出来ないという課題があった。
【先行技術文献】
【特許文献】
【０００５】
【特許文献１】特開平１０−２４８４４１号公報
【特許文献２】特開２００２−６５１１８号公報
【特許文献３】特開２００１−１６１２２１号公報
【特許文献４】特開２０１２−０２９６２１号公報
【考案の概要】
【考案が解決しようとする課題】
【０００６】
本考案は、ルアーのカップの揺動可能域を掛止具によって調節することで、ルアーから発生する接触音を容易に調整し、魚へのアピールを効果的に行うことにより、釣果を改善することを課題とする。
【課題を解決するための手段】
【０００７】
本考案は、ルアー本体と、カップと、掛止部を有する２つ以上の掛止具と、を具備し、前記掛止部と前記ルアー本体との間でカップが揺動可能に掛止され、少なくとも１つの掛止部と前記ルアー本体との距離が調節可能であるルアーに関する。
【０００８】
本考案の上記ルアーは、掛止部と前記ルアー本体との距離が調節可能である掛止具が、調節ネジであることを特徴とする態様を含む。
【０００９】
本考案の上記ルアーは、前記掛止具のうち１つが、ヒートン又はエイト環（以下、ヒートン等）であることを特徴とする態様を含む。
【００１０】
本考案の上記ルアーは、前記カップが略凸形状の被掛止孔を有し、前記被掛止孔の縦方向又は横方向のいずれか一方が、前記ヒートン等の掛止部外環よりも短く、他方が長いことを特徴とする態様を含む。
【００１１】
本考案の上記ルアーは、前記カップが、略横長瓢形状であることが好ましい。
【００１２】
本考案の上記ルアーは、前記カップの形状が、左右非対称であることが好ましい。
【考案の効果】
【００１３】
本考案によれば、少なくとも１つの掛止部とルアー本体との距離が調節可能であるので、前記距離を調節することで、カップがルアー本体やルアー本体との掛止具に接触することによって発生するカチャカチャという接触音の大きさ・高さ・音色等を適宜調整することができる。
【００１４】
本考案において、掛止部とルアー本体との距離が調節可能である掛止具を調節ネジとすることで、ドライバー等の工具を用いることで、釣り場等の屋外においても、カチャカチャという接触音の大きさ・高さ・音色等を容易に調整することができる。
【００１５】
本考案においては、掛止具の１つとしてヒートン等を用いてもよい。さらに、カップが略凸形状の被掛止孔を有し、前記被掛止孔の縦方向又は横方向のいずれか一方を、前記ヒートン等の掛止部外環よりも短く、他方を長くすることで、カップが被掛止孔とヒートン等によって掛止されやすくなるため、ヒートン等以外の掛止具が故障等によって外れてしまっても、カップが水中で逸失されにくくなる。また、カップの被掛止孔が前記のような形状であれば、ヒートン等以外の掛止具を取り外すことで、カップをルアー本体から簡便に取り外すことができる。
【００１６】
本考案において、カップが略横長瓢形状であれば、カップの上下に形成された横長凹部に水の通り道が形成されることにより、カップに対する水の抵抗が低減し、ルアーの使用者がより細やかなルアーアクションを取れるようになる。
【００１７】
本考案において、カップの形状を左右非対称とすることで、特にルアーの着水時に、カップが受ける水流により、ルアー全体が不規則な動きをするようになる。そのため、単調なルアーの動きでなく、より本物の魚に近い動きを実現することができる。また、ルアーの着水時に生じる気泡がカップに付着すると、その気泡が破裂する際にポコポコという破裂音が発生する。そのため、その破裂音によっても魚を誘惑することが可能となる。
【図面の簡単な説明】
【００１８】
【図１】図１は、本考案のルアーの実施形態における構成部品の一例を示す図である。
【図２】図２は、本考案のルアーの実施形態の一例を示す右側面図である。
【図３】図３は、本考案のルアーの実施形態の一例を示す上面図である。
【図４】図４は、本考案のルアーの実施形態におけるカップの一例を示す正面図である。
【考案を実施するための形態】
【００１９】
以下、図面を用いて本考案の実施形態を説明するが、本考案は図面及び実施形態に限定されるものではない。
【００２０】
本考案は、音を発生させることができるルアーであって、ルアー本体とカップと掛止具とを備えるルアーに関する。
【００２１】
図１に、本実施形態の一例であるルアー１００の構成部品を示す。図１に示すルアー１００は、ルアー本体１と、ルアー本体１の正面前方に設置されるカップ２と、カップ２をルアー本体１に掛止可能な調節ネジ４と、同じくカップ２をルアー本体１に掛止可能なヒートン５と、魚を釣るためのフック７と、フック取付部８とを備える。なお、本実施形態においては、掛止具の一つにヒートン５を用いているが、ヒートン５の代わりにエイト環を用いてもよい。また、図には示していないが、ルアー本体１の内部に、移動可能なラトルボールを設けることで、ラトル音を発生させる構成としてもよく、ルアー本体１にブレードなどの金属板等を設けて、接触音がさらに発生する構成としてもよい。
【００２２】
ルアー本体１は、バルサなどの木材、又はＡＢＳ（Ａｃｒｙｌｏｎｉｔｒｉｌｅ  Ｂｕｔａｄｉｅｎｅ  Ｓｔｙｒｅｎｅ）などの樹脂によって構成され得る。ルアー本体１にバルサなどの木材を用いる場合、掛止具としてはエイト環よりもヒートンの方が好ましい。一方で、ルアー本体１にＡＢＳなどの樹脂を用いる場合、掛止具としてはヒートンよりもエイト環の方が好ましい。
【００２３】
ルアー本体１の材料として木材を用いる場合は、木材をルアー本体１の形状に切り出して作成することができる。また、木材をチップ状又はパウダー状の木粉にしたものを接着剤等で接着させることによってルアー本体１を作成してもよい。ルアー本体１の材料に用いることができる木材としては、バルサの他、ヒノキ、桐、杉及びユーカリなどが挙げられるが、これらに限られるものではない。
【００２４】
ルアー本体１にＡＢＳなどの樹脂を用いる場合は、ＡＢＳ以外にも、ポリカーボネート樹脂、ウレタン系樹脂、アクリル系樹脂、エポキシ樹脂、ポリプロピレンなどのオレフィン系樹脂、又は２種以上の合成樹脂の混合物から構成されてもよい。また、ルアー本体１は、鉛、亜鉛ダイカスト又は焼き入れ鋼等の金属材料、セラミック材料、ガラス材料、磁器材料等の各種の硬質材料から構成され得る。
【００２５】
ルアー本体１には、魚を釣るためのフック７を取り付けるフック取付部８ａが底面側に、フック取付部８ｂが背面側に設けられている。尚、フック７及びフック取付部８を設ける箇所は１つでもよく、魚が食いつくことができる位置に３つ以上あってもよい。
【００２６】
カップ２は、アルミニウムを用いて製作されているが、鉄やタングステンなどの金属、スチール、真鍮又はステンレスなどの合金を用いて製作してもよい。また、カップ２はルアー本体１等と接触しても破損しない程度の強度を有しており、ルアー本体１等との接触によって接触音を発生させ得るものであれば、合成樹脂材料を用いて製作してもよい。
【００２７】
図２に、本実施形態の一例であるルアー１００の右側面図を示す。図２に示すように、本考案のルアー１００では、ルアー本体１の正面側に、掛止具である調節ネジ４及びヒートン５によって、カップ２が揺動可能に掛止されている。尚、水中で音を発生させることができれば、揺動可能に掛止されるカップ２は、正面側でなくとも、背面側、側面側、底面側又は上面側のいずれに設けられてもよい。
【００２８】
本実施形態において、掛止具の１つである調節ネジ４は、ドライバー等の工具を用いることで、調節ネジ４の掛止部であるネジ頭部とルアー本体１との距離を容易に調節することができる。前記調節によって、カップ２の揺動可能域を変化させることができるため、カチャカチャという接触音の大きさ・高さ・音色等を容易に調整することができる。さらに前記調節は、釣り場等の屋外においても容易に行うことができるため、釣果が芳しくない時や、標的とする魚を変更したい時など、釣りをする時の状況に応じて、即時その場で接触音の調整をすることができる。
【００２９】
調節ネジ４は、カップ２を掛止できる掛止部を有するものであれば、どのような形状のものでもよく、そのネジ穴もどのような形状であってもよい。一方で、掛止部とルアー本体１との距離が調節できるものであれば、掛止具は調節ネジ４でなくてもよく、例えば、伸縮可能な棒状の掛止具やネジ式ヒートンであってもよい。
【００３０】
カップ２は正面視からやや下向きの角度で設けられているが、カップ２は任意の角度で設けることができ、調節ネジ４などの掛止具で、その角度を適宜調節することもできる。
【００３１】
図３に、本実施形態の一例であるルアー１００の上面図を示す。カップ２の形状は、ルアー本体１とは反対側、すなわち、ルアー１００の前方側へ向けてカップ２の左右がしなるような形状を成しているが、平板な形状としてもよく、ルアー本体１側へ向けてカップ２の左右がしなるような形状を成してもよい。
【００３２】
図４に、本実施形態の一例であるカップ２の正面図を示す。カップ２が略凸形状の被掛止孔３を有し、前記被掛止孔３の縦方向が、ヒートン５の掛止部外環６よりも短く、横方向が長いものであるため、カップ２が被掛止孔３とヒートン５によって掛止されやすくなるため、ヒートン５以外の掛止具が故障等によって外れてしまっても、カップ２が水中で逸失されにくくなる。また、カップ２の角度をヒートン５の軸まわりに約９０度回転させることで、カップ２をルアー本体１から簡単に取り外すこともできる。
【００３３】
本実施形態において、カップ２は略横長瓢形状であるため、カップ２の上下に形成された横長凹部に水の通り道が形成されることにより、カップ２に対する水の抵抗が低減し、ルアー１００の使用者がより細やかなルアーアクションを取れるようになる。また、カップ２の形状が左右非対称であるため、リトリーブ時にカップ２が受ける水流により、ルアー１００全体が不規則な動きをするようになる。そのため、単調なルアーの動きでなく、より本物の魚に近い動きを実現することができる。
【００３４】
本実施形態においては、略横長瓢形状をなすカップ２のくびれ部分にカップ２を掛止するための被掛止孔が正面視上下方向に二ヶ所設けられている。本実施形態では、上側の被掛止孔がヒートン５に、下側の被掛止孔が調節ネジ４に対応しているが、ヒートン５に対応する略凸形状の被掛止孔３が下側になってもよい。また、カップ２の被掛止孔は、正面視左右方向に設けられてもよく、カップ２のくびれ部分に設けない態様としてもよい。
【００３５】
ルアー１００は、主にナマズを釣るために用いられるが、その他の魚、例えば、ブラックバス、スモールマウスバス、ラージマウスバス又はシ−バス等のバス、ブル−ギル、アイナメ、イワナ、スズキ、メッキアジ、メバル、ヤマメ、ライギョ、サクラマス、ニジマス、ヒメマス、ブラウントラウト、ブルックトラウト、レイクトラウト、カンパチ、ブリ、コチ、マゴチ、エイ、カレイ、ヒラメ、ウグイ、カサゴ、カマス、サーモン、シイラ、ソイ、ターポン、タチウオ、トレバリー、ニゴイ、ハス、ハヤ、バラクーダ、ヒラマサ又はマルタ等の魚を釣るために用いることもできる。また、海、川、湖、池又は沼等の魚のいる場所であれば、いかなる場所でも用いることができる。
【符号の説明】
【００３６】
１００  ルアー
１      ルアー本体
２      カップ
３      略凸形状被掛止孔
４      調節ネジ
５      ヒートン
６      ヒートン掛止部外環
７      フック
８      フック取付部
【図１】
0003192313.tif 000003
【図２】
0003192313.tif 000004
【図３】
0003192313.tif 000005
【図４】
0003192313.tif 000006